(57)【要約】【課題】  箸本体が合成樹脂材料または合成樹脂を含む材料からなる箸でありながら、箸先部に備わる漆層が定着性に優れている箸を提供する。【解決手段】  箸１は、箸本体２が合成樹脂材料または合成樹脂を含む材料からなり、箸先部１ｂの表面に、天然素材の粉状物３を含む漆層４を備える。箸本体２は、箸先部１ｂを構成する本体箸先部２ａが、細るように段差付けされるとともに、その本体箸先部２ａの表面２ｂが粗面となるように形成され、かつ、その本体箸先部２ａの表面２ｂを覆うように、漆層４が設けられている。【選択図】  図２
2010274003.tif 000002
【特許請求の範囲】
【請求項１】
箸本体が合成樹脂材料または合成樹脂を含む材料からなり、箸先部の表面に、天然素材の粉状物を含む漆層を備える箸であって、
前記箸本体は、前記箸先部を構成する本体箸先部が、細るように段差付けされるとともに、その本体箸先部の表面が粗面となるように形成され、かつ、その本体箸先部の表面を覆うように、前記漆層が設けられていることを特徴とする箸。
【請求項２】
前記天然素材の粉状物は、木粉または竹粉であることを特徴とする、請求項１に記載の箸。
【請求項３】
前記天然素材の粉状物は、米粉であることを特徴とする、請求項１に記載の箸。
【請求項４】
前記天然素材の粉状物は、乾漆粉であることを特徴とする、請求項１に記載の箸。
【請求項５】
前記箸は、前記箸先部以外の部分の表面に、木粉または竹粉を含む他の漆層を備え、かつ、その木粉または竹粉が前記他の漆層の表面に露出してなることを特徴とする、請求項１ないし４のいずれか１項に記載の箸。
【請求項６】
請求項１ないし５のいずれか１項に記載の箸の製造方法であって、
合成樹脂材料または合成樹脂を含む材料からなり、かつ、箸の形状を有する箸素材の箸先部を、段差付けするように先端に至るまで削ることで、表面が粗面となった前記本体箸先部を形成する、本体箸先部形成工程と、
削られて粗面となった、前記本体箸先部の表面を覆うように、前記天然素材の粉状物を含む前記漆層を形成する、漆層形成工程とを備えることを特徴とする、箸の製造方法。
【発明の詳細な説明】
【技術分野】
【０００１】
この発明は、箸先部に漆層を備える箸および、箸の製造方法に関するものである。
【背景技術】
【０００２】
近年、飲食店等において、ゴミの排出量を削減するために、使い捨ての割り箸の代わりに、繰り返し使用できる合成樹脂製の箸を提供する取り組みがなされており、このようなところからも、合成樹脂製の箸を使用して食事をする機会が増えつつある。
【０００３】
その一方で、箸は、食べ物や使用者の口に直接触れるものであることから、このような合成樹脂製の箸においても、使用者に安心感を与えるものであることが望まれている。
【０００４】
ここで、従来、合成樹脂製の箸として、特に麺類を摘んだ際のすべりを防止するために、箸先部に漆層を備えた箸があった（例えば、特許文献１参照）。この合成樹脂製の箸は、食べ物や使用者の口に直接触れることになる箸先部に、天然の素材を用いる漆層を備えていることから、麺類のすべりを防止するのみならず、箸の使用者に安心感を与えることができた。
【０００５】
また、箸先部に漆層を備えた箸として、木、竹等からなる箸本体の箸先部を一段と細くし、その細くした箸先部に漆層（乾漆粉の層）を形成した箸があった（例えば、特許文献２参照）。こうすることで、箸先部が不自然に太くなることを防ぐことができた。
【先行技術文献】
【特許文献】
【０００６】
【特許文献１】実開平４−６９７３号公報
【特許文献２】特許第３０９１６１３号公報
【発明の概要】
【発明が解決しようとする課題】
【０００７】
しかしながら、上記引用文献１に示されるような合成樹脂製の箸は、木製あるいは竹製の箸よりは、漆が定着しにくい傾向にあり、したがって、箸先部に備わる漆層の定着性が十分ではないという問題があった。この発明は、このような従来の問題点に鑑みてなされたものであり、その目的とするところは、箸本体が合成樹脂材料または合成樹脂を含む材料からなる箸でありながら、箸先部に備わる漆層が定着性に優れている箸、および箸の製造方法を提供することにある。
【課題を解決するための手段】
【０００８】
この発明に係る箸および、箸の製造方法は、前記目的を達成するために、次の構成からなる。すなわち、
請求項１に記載の発明に係る箸は、箸本体が合成樹脂材料または合成樹脂を含む材料からなり、箸先部の表面に、天然素材の粉状物を含む漆層を備える。ここで、前記箸本体は、前記箸先部を構成する本体箸先部が、細るように段差付けされるとともに、その本体箸先部の表面が粗面となるように形成され、かつ、その本体箸先部の表面を覆うように、前記漆層が設けられている。
【０００９】
この箸にあっては、細るように段差付けされた本体箸先部の表面が粗面となるように形成されることにより、その表面を覆うように設けられる漆層が剥がれにくくなり、箸先部に備わる前記漆層の定着性が向上する。また、漆層に粉状物が含まれることで、漆層の表面に凹凸ができると、この箸で食べ物を摘んだときの滑りを防止することができる。しかも、この粉状物は、天然素材からなるため、箸の使用者に安心感を与えることができる。
【００１０】
また、請求項２に記載の発明に係る箸のように、請求項１に記載の箸において、前記天然素材の粉状物は、木粉または竹粉であってもよい。この箸にあっては、とくに、木製または竹製の箸を製造する際に生じる木粉または竹粉を用いることで、廃棄物の再資源化を図ることができるとともに、箸の製造コストを抑えることができる。
【００１１】
また、請求項３に記載の発明に係る箸のように、請求項１に記載の箸において、前記天然素材の粉状物は、米粉であってもよい。この箸にあっては、とくに、安価に入手可能な古い米からなる米粉を用いることで、箸の製造コストを抑えることができる。
【００１２】
また、請求項４に記載の発明に係る箸のように、請求項１に記載の箸において、前記天然素材の粉状物は、乾漆粉であってもよい。
【００１３】
また、請求項５に記載の発明に係る箸のように、請求項１ないし４のいずれか１項に記載の箸において、前記箸は、前記箸先部以外の部分の表面に、木粉または竹粉を含む他の漆層を備え、かつ、その木粉または竹粉が前記他の漆層の表面に露出してもよい。こうすることで、他の漆層の表面に露出する木粉または竹粉から、木または竹の香りを出すことができ、箸の使用者は、箸本体が合成樹脂材料または合成樹脂を含む材料からなる箸でありながら、木または竹の香りを楽しむことができる。
【００１４】
また、請求項６に記載の発明に係る箸の製造方法は、請求項１ないし５のいずれか１項に記載の箸の製造方法であって、合成樹脂材料または合成樹脂を含む材料からなり、かつ、箸の形状を有する箸素材の箸先部を、段差付けするように先端に至るまで削ることで、表面が粗面となった前記本体箸先部を形成する、本体箸先部形成工程と、削られて粗面となった、前記本体箸先部の表面を覆うように、前記天然素材の粉状物を含む前記漆層を形成する、漆層形成工程とを備える。
【発明の効果】
【００１５】
この発明に係る箸、および箸の製造方法によれば、箸本体が合成樹脂材料または合成樹脂を含む材料からなる箸でありながら、箸先部に備わる漆層が定着性に優れている箸、および箸の製造方法を提供することができる。
【図面の簡単な説明】
【００１６】
【図１】この発明の一実施の形態の、箸の正面図である。
【図２】同じく、図１における、一方の箸片の漆層を省略して示した要部拡大図である。
【図３】同じく、図１におけるＡ−Ａ線による拡大断面図である。
【図４】同じく、箸の製造方法における本体箸先部形成工程を示す、製造工程図である。
【図５】同じく、箸の製造方法における漆層形成工程を示す、製造工程図である。
【図６】この発明の他の実施の形態の、図２相当図である。
【図７】この発明のさらに他の実施の形態の、図２相当図である。
【発明を実施するための形態】
【００１７】
以下、この発明を実施するための形態を図面に基づいて説明する。
【００１８】
図１〜図５は、本発明の一実施の形態を示す。図中符号１は、箸を示し、この箸１は、一対の箸片１ａ、１ａを備える。
【００１９】
箸１（箸片１ａ）は、箸本体２が合成樹脂材料または合成樹脂を含む材料（図示実施の形態においては、合成樹脂材料）からなり、箸先部１ｂの表面に、天然素材の粉状物３（図示実施の形態においては、木粉３ａ）を含む漆層４を備える。ここで、箸本体２は、箸先部１ｂを構成する本体箸先部２ａが、細るように段差付けされるとともに、その本体箸先部２ａの表面２ｂが粗面となるように形成され、かつ、その本体箸先部２ａの表面２ｂを覆うように、漆層４が設けられている。
【００２０】
具体的には、前記合成樹脂材料には、例えば、ＰＢＴ（Ｐｏｌｙｂｕｔｙｌｅｎｅ  Ｔｅｒｅｐｈｔｈａｌａｔｅ）樹脂、ＡＢＳ（Ａｃｒｙｌｏｎｉｔｒｉｌｅ  Ｂｕｔａｄｉｅｎｅ  Ｓｔｙｒｅｎｅ）樹脂、ＡＳ（Ａｃｒｙｌｏｎｉｔｒｉｌｅ  Ｓｔｙｒｅｎｅ）樹脂、メタクリル（Ｐｏｌｙｍｅｔｈｙｌ  Ｍｅｔｈａｃｒｙｌａｔｅ）樹脂等を用いることができるが、これらの合成樹脂に限られるわけではない。そして、箸１（箸片１ａ）は、箸先部１ｂが漆層４によって覆われるとともに、箸先部１ｂ以外の部分１ｃの表面には、前記合成樹脂材料からなる箸本体２（詳細には、箸本体２の、本体箸先部２ａ以外の部分２ｃ）が露出している（図１、図２参照）。また、本体箸先部２ａには、溝入れ２ｄが施されている（図２、図３参照）。詳細には、本体箸先部２ａの長手方向に間隔を置くようにして、複数の溝入れ２ｄ、２ｄが施されている。また、図示実施の形態においては、箸本体２の、本体箸先部２ａ以外の部分２ｃの表面２ｅは、滑らかな面となるように形成されている。
【００２１】
漆層４を形成する漆は、例えば、生漆、透漆、黒漆、または糊漆等からなるが、これらに限定されるわけではない。そして、前記漆によって、木粉３ａ（粉状物３）が塗り固められるようにして、漆層４が形成されている。また、漆層４の表面４ａは、箸本体２の、本体箸先部２ａ以外の部分２ｃの表面２ｅとほぼ面一となるように形成されている（図２、図３参照）。そして、漆層４に木粉３ａ（粉状物３）が含まれることで、その漆層４の表面４ａに僅かな凹凸（図示せず）が形成されている。なお、木粉３ａ（粉状物３）の大きさは、好ましくは、目開き（Ｏｐｅｎｉｎｇ）が０．２１８ｍｍ〜０．０７６ｍｍの篩を通過する範囲内であり、より好ましくは、目開き（Ｏｐｅｎｉｎｇ）が０．１８３ｍｍ〜０．１５７ｍｍの篩を通過する範囲内であるが、これらの数値に示される範囲内に限定されるものではない。また、図示実施の形態においては、便宜上、木粉３ａ（粉状物３）を球形形状で模式的に表わしている。
【００２２】
次に、以上の構成からなる箸１の製造方法を、図４および図５に示す製造工程図に基づいて説明する。なお、これら図４および図５にあっては、箸１の箸頭部側の図示を省略している。
【００２３】
この製造方法は、合成樹脂材料または合成樹脂材料を含む材料（図示実施の形態においては、合成樹脂材料）からなり、かつ、箸の形状を有する箸素材１０（箸本体２に相当する。）の箸先部１０ａを、段差付けするように先端に至るまで削ることで、表面２ｂが粗面となった本体箸先部２ａを形成する、本体箸先部形成工程と、削られて粗面となった、本体箸先部２ａの表面２ｂを覆うように、天然素材の粉状物３（図示実施の形態においては、木粉３ａ）を含む漆層４を形成する、漆層形成工程とを備える。
【００２４】
詳細には、前記本体箸先部形成工程において、前記合成樹脂材料によって箸の形状に形成された箸素材１０の、箸先部１０ａの表面全体を、例えば、サンドペーパー（ｓａｎｄｐａｐｅｒ）等の研磨具で、前記先端に至るまで削る（図４参照）。より詳細には、箸素材１０を、好ましくは、前記先端から３ｃｍ〜８ｃｍの範囲内の領域に渡り、１〜２ｍｍ程度の段差を付けるように削る。このとき、箸素材１０の箸先部１０ａの削り面は、研磨具の目の粗さに応じた粗面となる。こうして、箸素材１０に、段差付けと粗面の形成とが同時に施されて、本体箸先部２ａ以外の部分２ｃの表面２ｅよりも粗い面からなる粗面を表面全体に備えた本体箸先部２ａが形成される。さらに、図示実施の形態においては、その本体箸先部２ａに、鋸刀等の工具を用いて、前記複数の溝入れ２ｄ、２ｄを施す。
【００２５】
前記漆層形成工程にあっては、まず、箸本体２の、本体箸先部２ａ以外の部分２ｃに、例えば、マスキングテープ（ｍａｓｋｉｎｇ  ｔａｐｅ）１１を巻くことで、マスキング（ｍａｓｋｉｎｇ）を施す（図５参照）。このマスキング（ｍａｓｋｉｎｇ）については、必ずしも、本体箸先部２ａ以外の部分２ｃの全体に施す必要はなく、本体箸先部２ａ以外の部分２ｃの、本体箸先部２ａ側のみに施してもよい。
【００２６】
そして、マスキング（ｍａｓｋｉｎｇ）を施した箸本体２の本体箸先部２ａに、漆を下塗りする。詳細には、本体箸先部２ａに下塗り用の漆を複数回、重ね塗りする。こうして、本体箸先部２ａの表面２ｂを覆うように、下塗り層１２が形成される。そして、この下塗り層１２が乾かないうちに（詳細には、最後の下塗り用の漆を重ね塗りした直後に）、その下塗り層１２の略全体に木粉３ａ（粉状物３）を付着させる。なお、下塗り用の漆については、木粉３ａ（粉状物３）が付着し易いように、粘性の高いものが望ましい。また、木粉３ａについては、木製の箸を製造する際に生じる木粉３ａを用いることができる。
【００２７】
下塗り層１２が乾固したら、その下塗り層１２および下塗り層１２に付着した木粉３ａ（粉状物３）の上から、漆を押さえ塗りする。詳細には、本体箸先部２ａの段差を埋めるように、押さえ塗り用の漆を複数回、重ね塗りする。こうして、下塗り層１２を覆うように、押さえ塗り層１３が形成される。
【００２８】
押さえ塗り層１３が乾固したら、その乾固した押さえ塗り層１３を研磨して、箸先の形状を整え、さらに、研磨した押さえ塗り層１３の上に、漆を仕上げ塗りする。図示実施の形態においては、研磨した押さえ塗り層１３の上に、仕上げ塗り用の漆を複数回、重ね塗りする。こうして、仕上げ塗り層１４が形成される。なお、仕上げ塗り用の漆については、色艶がよく表われるものが望ましい。
【００２９】
そして、箸本体２のマスキング（ｍａｓｋｉｎｇ）を除去することで、前記漆層形成工程が完了する。なお、場合によっては、漆の下塗り、押さえ塗り、および仕上げ塗りにおいて、漆の塗りをそれぞれ１回で済ませてもよい。
【００３０】
次に、以上の構成からなる箸１および、箸１の製造方法の作用効果について説明する。この箸１にあっては、細るように段差付けされた本体箸先部２ａの表面２ｂを覆うように、漆層４が設けられているため、箸１の箸先部１ｂが不自然に太くなることを避けることができる。そして、その本体箸先部２ａの表面２ｂが粗面となるように形成されることにより、その表面２ｂを覆うように設けられる漆層４が剥がれにくくなり、箸先部１ｂに備わる前記漆層４の定着性が向上する。
【００３１】
また、漆層４に粉状物３（図示実施の形態においては、木粉３ａ）が含まれることで、その漆層４の表面４ａに僅かな凹凸が形成されているため、この箸１で食べ物を摘んだときの滑りを防止することができる。特に、粉状物（図示実施の形態においては、木粉３ａ）の大きさを、目開き（Ｏｐｅｎｉｎｇ）が０．２１８ｍｍ〜０．０７６ｍｍ（より好ましくは、０．１８３ｍｍ〜０．１５７ｍｍ）の篩を通過する範囲内とすることで、前記凹凸による箸１の滑り防止効果を十分に発揮しつつ、漆層４の表面４ａに口や唇が触れたときの、前記凹凸による違和感が少ない。しかも、この粉状物３は、天然素材からなる（図示実施の形態においては、木粉３ａである）ため、箸１の使用者に安心感を与えることができる。さらには、木製の箸を製造する際に生じる木粉３ａを用いることで、廃棄物の再資源化を図ることができるとともに、箸１の製造コストを抑えることができる。
【００３２】
また、本体箸先部２ａには、溝入れ２ｄが施されているため、本体箸先部２ａに対して漆層４がより一層定着し易くなる。
【００３３】
なお、本発明は、上述した実施の形態に限定されるわけではなく、その他種々の変更が可能である。例えば、箸本体２は、合成樹脂材料のみによって形成されるのではなく、合成樹脂を含む材料によって形成されてもよく、例えば、木または木粉、竹または竹粉、米または米粉、紙、天然繊維、石などの天然素材と、合成樹脂材料とを混合した材料によって形成されてもよいし、さらには、これら天然素材以外の天然素材あるいは人工素材と、合成樹脂材料とを混合した材料によって形成されても構わない。
【００３４】
また、天然素材の粉状物３は、木粉３ａでなくてもよく、例えば、竹粉、米粉、乾漆粉であってもよく、さらには、コルク粉（ｃｏｒｋ  ｐｏｗｄｅｒ）その他の粉状物であってもよい。また、箸１の製造方法においては、下塗り層１２に木粉３ａを付着させなくてもよく、例えば、竹粉、米粉、乾漆粉、あるいはコルク粉（ｃｏｒｋ  ｐｏｗｄｅｒ）その他の粉状物を付着させてもよい。ここで、竹粉については、木粉３ａの場合と同様に、竹製の箸を製造する際に生じる竹粉を用いることで、廃棄物の再資源化を図ることができるとともに、箸の製造コストを抑えることができる。また、米粉については、とくに、安価に入手可能な古い米からなる米粉を用いることで、箸の製造コストを抑えることができる。
【００３５】
また、箸本体２の、本体箸先部２ａ以外の部分２ｃの表面２ｅは、滑らかな面となるように形成されなくてもよく、粗面に形成されてもよい。
【００３６】
また、本体箸先部形成工程において、箸素材１０は、加飾が施されていない箸本体２に限られるわけではなく、加飾が施されている箸本体２を用いても構わない。
【００３７】
また、漆層形成工程において、下塗り層１２に木粉３ａ（粉状物３）を付着させ、その下塗り層１２および下塗り層１２に付着した木粉３ａ（粉状物３）の上から漆を押さえ塗りしなくてもよく、例えば、予め木粉３ａ（粉状物３）を混入させた漆を、下塗り層１２に塗ってもよい。あるいは、木粉３ａ（粉状物３）が混入した漆を、直接、本体箸先部２ａに塗ってもよい。
【００３８】
また、箸１は、箸先部１ｂ以外の部分１ｃの表面に漆層を備えてもよい。ここにおいて、例えば、図６に示す他の実施の形態のように、箸１は、箸先部１ｂ以外の部分１ｃの表面に、木粉または竹粉３ａ（図示実施の形態においては、木粉３ａ）を含む他の漆層５を備え、かつ、その木粉または竹粉３ａ（図示実施の形態においては、木粉３ａ）が他の漆層５の表面５ａに露出してもよい。具体的には、箸本体２は、本体箸先部２ａ以外の部分２ｃの表面２ｅも粗面となるように形成されており、その本体箸先部２ａ以外の部分２ｃの表面２ｅを覆うように、他の漆層５が設けられている。すなわち、図示実施の形態においては、ともに木粉３ａを含む漆層４および他の漆層５によって箸本体２の表面全体が覆われて、箸１（箸片１ａ）が形成されている。そして、この箸１にあっては、他の漆層５の表面５ａに露出する木粉または竹粉３ａ（図示実施の形態においては、木粉３ａ）から、木または竹の香り（図示実施の形態においては、木の香り）を出すことができる。そして、箸１の使用者は、箸本体２が合成樹脂材料または合成樹脂を含む材料（図示実施の形態においては、合成樹脂材料）からなる箸でありながら、木または竹の香り（図示実施の形態においては、木の香り）を楽しむことができる。
【００３９】
ここで、図６に示す箸１の製造方法にあっては、前記本体箸先部形成工程において、箸素材（箸本体に相当する。）の表面全体を、その箸先部に１〜２ｍｍ程度の段差を付けるようにして削る。こうして、箸本体２の表面全体（２ｂ、２ｅ）が、粗面となるように形成される。そして、前記漆層形成工程において、箸本体２の表面全体（２ｂ、２ｅ）に漆を下塗りすることで、その表面全体（２ｂ、２ｅ）を覆うように、下塗り層を形成し、その下塗り層の全体に渡って木粉または竹粉３ａ（図示実施の形態においては、木粉３ａ）を付着させる。その後、箸本体２の表面全体（２ｂ、２ｅ）を覆うように形成された前記下塗り層の全体を覆うように、押さえ塗り層を形成する。そして、前記押さえ塗り層が乾固したら、その乾固した押さえ塗り層の全体を研磨して、箸先の形状を整え、さらに、研磨した前記押さえ塗り層のうちの、箸１の箸先部１ｂを構成する部分にのみ、漆を仕上げ塗りする。こうして、表面５ａに、木粉または竹粉３ａ（図示実施の形態においては、木粉３ａ）が露出してなる他の漆層５、および、表面４ａが漆（詳細には、仕上げ用の漆）によって覆われてなる漆層４が形成される。
【００４０】
また、図６に示す箸１のように、箸先部１ｂ以外の部分１ｃの表面に他の漆層５を備える場合にあっては、必ずしも、箸先部１ｂの表面に設けられた漆層４が、木粉または竹粉を含んでいなくてもよく、例えば、米粉、乾漆粉、あるいは、コルク粉（ｃｏｒｋ  ｐｏｗｄｅｒ）その他の粉状物を含んでいてもよい。すなわち、箸先部１ｂの表面に設けられた漆層４と、箸先部１ｂ以外の部分１ｃの表面に設けられた他の漆層５とで、異なる素材の粉状物を含んでいてもよい。
【００４１】
また、箸１は、箸先部１ｂ以外の部分１ｃについては、種々の技法からなる加飾が施されてもよい。
【００４２】
また、この箸１においては、本体箸先部２ａの段差および粗面は、箸素材を削ることで形成されたものでなくてもよく、例えば金型成型により、予め段差および粗面を有するような箸素材を成型することで形成されたものであってもよい。また、図６に示す箸１の、箸本体２の表面全体（２ｂ、２ｅ）における粗面についても、例えば金型成型により、表面全体に予め粗面を有するような箸素材を成型することで形成されたものであってもよい。
【００４３】
また、細るように段差付けされる本体箸先部２ａは、図７に示すように、溝入れ２ｄが施されることなく、その表面２ｂが粗面となるように形成されてもよい。また、図６に示す箸１においても、細るように段差付けされる本体箸先部２ａは、溝入れ２ｄが施されることなく、その表面２ｂが粗面となるように形成されてもよい。
【００４４】
なお、参考例ではあるが、天然素材の粉状物３が、木粉、竹粉、米粉である場合にあっては、箸本体２は、必ずしも、箸先部１ｂを構成する本体箸先部２ａが、細るように段差付けされていなくてもよく、本体箸先部２ａと、本体箸先部２ａ以外の部分２ｄとが面一となるように形成されていてもよい。こうすることで、箸１の製造方法において、本体箸先部２ａを段差付けする工程を省略することができ、箸１の製造コストをさらに抑えることができる。
【符号の説明】
【００４５】
１    箸
１ｂ  箸先部
１ｃ  箸先部以外の部分
２    箸本体
２ａ  本体箸先部
２ｂ  本体箸先部の表面
３    粉状物
３ａ  木粉
４    漆層
５    他の漆層
５ａ  他の漆層の表面
１０  箸素材
１０ａ  箸素材の箸先部
【図１】
2010274003.tif 000003
【図２】
2010274003.tif 000004
【図３】
2010274003.tif 000005
【図４】
2010274003.tif 000006
【図５】
2010274003.tif 000007
【図６】
2010274003.tif 000008
【図７】
2010274003.tif 000009